(57)【特許請求の範囲】
【請求項１】
結像光学系からの被写体光束の予定結像面上に結像された被写体像に重ね合わせて、結像条件を設定するための領域を表す枠を複数表示することが可能な第１の表示手段と、
前記第１の表示手段とは独立に制御可能であって、前記第１の表示手段により表示する枠と少なくとも表す領域が一部重なった枠を表示することが可能な第２の表示手段と、を備え、
前記複数の枠の内、選択された特定の枠を移動指示する操作が可能なモードを採り得、該モードの時に、前記第１の表示手段と前記第２の表示手段の何れかによる枠の表示部と、前記第１の表示手段と前記第２の表示手段の両方により重ね合わせて表示された枠の表示部が、ファインダ視野内に両方存在する光学機器のファインダ装置であって、
前記第１の表示手段と前記第２の表示手段の両方により重ね合わせて表示された枠の表示部が、前記選択された特定の枠であり、
前記第１の表示手段と前記第２の表示手段の何れかによる枠の表示部が、一回の前記移動指示する操作で移動可能な移動先の枠であることを特徴とする光学機器のファインダ装置。
【請求項２】
前記第１の表示手段は、照明部材からの光を透過させて発光表示像をファインダ視野内で形成するための透過型液晶表示手段を含み、
前記第２の表示手段は、結像光学系からの被写体光束を遮ってファインダ視野内で減光表示像を形成する減光状態と、結像光学系からの被写体光束を透過させる透過状態とを採り得る拡散型液晶表示手段を含むことを特徴とする請求項１に記載の光学機器のファインダ装置。
【請求項３】
前記選択された特定の枠を移動指示する操作が不可能なモードを採り得、該モードの時に、前記選択された特定の枠を前記第１の表示手段のみにより表示し、
前記選択された特定の枠を移動指示する操作が可能なモードの時に、前記選択された特定の枠を前記第１の表示手段と前記第２の表示手段の両方により表示し、一回の前記移動指示する操作で移動可能な移動先の枠を前記第１の表示手段のみにより表示し、
前記選択された特定の枠を移動指示する操作が不可能なモードの時の前記第１の表示手段の照明部材の照明輝度に対して、前記特定の枠を移動指示する操作が可能なモードの時の前記第１の表示手段の照明部材の照明輝度が低く設定されることを特徴とする請求項２に記載の光学機器のファインダ装置。
【請求項４】
被写体像の中に人物の顔が存在することを検出するための顔検出手段を備え、
前記顔検出手段により検出された顔の位置に対応する前記枠を前記特定の枠として選択可能な顔検出モードを採り得、
前記顔検出モードであって、前記選択された特定の枠を移動指示する操作が可能なモードの時に、前記顔検出手段により検出された顔の位置に対応する前記枠を、前記第１の表示手段と前記第２の表示手段の一方により表示し、一回の前記移動指示する操作で移動可能な移動先の枠を、前記第１の表示手段と前記第２の表示手段の他方により表示し、前記選択された特定の枠を前記第１の表示手段と前記第２の表示手段の両方により表示することを特徴とする請求項１から３の何れかに記載の光学機器のファインダ装置。
【請求項５】
前記第１の表示手段による枠の表示形状は、前記第２の表示手段による枠の表示形状より大きいことを特徴とする請求項１から４の何れかに記載の光学機器のファインダ装置。
【請求項６】
前記枠は、カメラにおける撮影条件を設定するための領域を表す枠であって、オートフォーカスの焦点検出領域を表す焦点検出枠、または測光領域を表す測光枠であることを特徴とする請求項１から５の何れかに記載の光学機器のファインダ装置。
【発明の詳細な説明】
【技術分野】
【０００１】
本発明は、スーパーインポーズ液晶表示装置などの、カメラ等の光学機器のファインダ装置に関する。
【背景技術】
【０００２】
従来、次の様なファインダ装置が提案されている（特許文献１参照）。このファインダ装置は、ペンタダハプリズムとスクリーンの間に拡散型液晶表示手段を配置し、更にペンタダハプリズム近傍に配置された液晶表示手段の表示パターンを反射面を介してスクリーン上のファインダ像と重ねて観察できる構成を持つ。通常は拡散型液晶表示手段による表示を行い、カメラが合焦した場合に、拡散型液晶表示手段による表示に重なる様にペンタダハプリズムの近傍に配置された液晶表示手段による表示を行う。このことで、表示セグメントが明るく見える様にしている。
【先行技術文献】
【特許文献】
【０００３】
【特許文献１】特許第３７４８４７２号公報
【発明の概要】
【発明が解決しようとする課題】
【０００４】
しかし、上記特許文献１のファインダ装置においては、スーパーインポーズ表示を達成するための主に光学的な構成に関しての記載に留まっている。これは、特にオートフォーカスの焦点検出枠の選択時における表示識別に関した改良がなされたものではなく、通常表示されている焦点検出枠を拡散型液晶（液晶による拡散で表示セグメントを表示する）により表示することを記載している。
【課題を解決するための手段】
【０００５】
上記技術状況に鑑み、本発明の光学機器のファインダ装置は次の特徴を有する。ファインダ装置は、第１の表示手段と第２の表示手段を備える。第１の表示手段は、結像光学系からの被写体光束の予定結像面上に結像された被写体像に重ね合わせて、結像条件を設定するための領域を表す枠を複数表示することが可能である。第２の表示手段は、第１の表示手段とは独立に制御可能であって、第１の表示手段により表示する枠と少なくとも表す領域が一部重なった枠を表示することが可能である。更に、ファインダ装置は、前記複数の枠の内、選択された特定の枠を移動指示する操作が可能なモードを採り得る。そして、該モードの時に、第１の表示手段と第２の表示手段の何れかによる枠の表示部と、第１の表示手段と第２の表示手段の両方により重ね合わせて表示された枠の表示部が、ファインダ視野内に両方存在する。また、前記第１の表示手段と前記第２の表示手段の両方により重ね合わせて表示された枠の表示部が、前記選択された特定の枠であり、前記第１の表示手段と前記第２の表示手段の何れかによる枠の表示部が、一回の前記移動指示する操作で移動可能な移動先の枠である。
【発明の効果】
【０００６】
本発明の光学機器のファインダ装置によれば、複数種類の表示手段によって、結像条件を設定するための領域を表す複数の枠のうち、選択された特定の枠と他の選択可能な枠を幾つかの態様で識別可能に同時にファインダ視野内に表示できる。例えば、カメラにおけるオートフォーカスの複数の焦点検出枠のうち、選択された特定の焦点検出枠と他の選択可能な焦点検出枠をファインダ視野内で識別して表示できる。
【図面の簡単な説明】
【０００７】
【図１】本発明のファインダ装置の第１実施例を含むカメラの概略構成を示す図。
【図２】本発明の第１実施例を含むカメラに内蔵された電気回路の構成とファインダ視野内の構成を示す図。
【図３】本発明の第１実施例を含むカメラの動作を示すフローチャート。
【図４】本発明のファインダ装置の第１実施例の自動選択モード中の視野内の構成と任意選択モード中の視野内の構成を示す図。
【図５】本発明のファインダ装置の第１実施例の任意選択モード中における焦点検出枠選択時の視野内の構成を示す図。
【図６】本発明のファインダ装置の第２実施例を含むカメラの動作を示すフローチャート。
【図７】本発明のファインダ装置の第２実施例の任意選択モード中における顔検出モードＯＮ状態の視野内の構成と顔検出モードＯＮ状態の焦点検出枠選択時の視野内の構成を示す図。
【発明を実施するための形態】
【０００８】
以下、本発明の実施形態について説明する。本発明のファインダ装置において重要なことは、次の点である。被写体像に重複して、結像条件を設定する領域を示すファインダ装置で、特定の領域の移動指示操作が可能なモード時に、特定の領域と移動可能な領域を識別表示する為に、複数の表示手段の何れかでの表示と両方での重複表示を用いることである。選択された特定の枠と他の選択可能な枠のファインダ視野内での同時表示は、識別可能であれば、複数種類の表示手段による表示の如何なる組み合わせで行ってもよい。
【０００９】
上記考え方に基づき、本発明の光学機器のファインダ装置の基本的な実施形態は、次の様な構成を有する。ファインダ装置は、液晶表示手段などの第１の表示手段と第２の表示手段を備える。第１の表示手段は、撮影レンズなどの結像光学系からの被写体光束の予定結像面上に結像された被写体像に重ね合わせて、結像条件を設定するためのオートフォーカスの焦点検出領域などの領域を表す枠を複数表示できる。第２の表示手段は、第１の表示手段とは独立に制御可能であって、第１の表示手段により表示する枠と少なくとも一部重なった枠を表示できる。ファインダ装置は、前記複数の枠の内、選択された特定の枠を移動指示する操作が可能なモードを少なくとも採り得る。そして、該モードの時に、特定の領域と移動可能な移動先領域を識別表示する為に、第１の表示手段と第２の表示手段の何れかによる枠の表示部と、両方により重ね合わせて表示された枠の表示部が、ファインダ視野内に両方存在する。前記枠は、カメラにおけるオートフォーカスの焦点検出領域を表す焦点検出枠の他に、測光領域を表す測光枠などであってもよい。前記表示手段は、後述する透過型液晶表示手段や拡散型液晶表示手段などの液晶表示手段の他に、エレクトロルミネセンス（ＥＬ）素子やエレクトロクロミック素子などを用いることもできる。また、前記枠とは、或るエリアを意味し、特定の形状、大きさなどを持つ領域の意味に限定されるものではない。このファインダ装置は、結像光学系からの被写体光束を予定結像面上に結像させ、被写体像に重ね合わせて、結像条件を設定するための領域を表す枠を表示する撮像装置、被写体観察装置などの光学機器であれば、どの様なものにも適用できる。
【００１０】
前記基本的な実施形態を基礎として、以下に述べる様なより具体的な実施形態が可能である。
例えば、カメラのファインダ装置が、撮影レンズからの被写体像を観察するために、撮影光束の少なくとも一部を略直角に反射させ、予定結像面に配置したフォーカシングスクリーンを備える。ここで、第１の表示手段である第１の焦点検出枠表示手段は、フォーカシングスクリーン上に結像された被写体像に重ね合わせて、オートフォーカスの焦点検出可能領域を表す焦点検出枠を表示する。第２の表示手段である第２の焦点検出枠表示手段は、第１の表示手段とは独立に制御可能で、第１の焦点検出枠表示手段により表示する複数の焦点検出枠と、略同一箇所の焦点検出枠を表示できる。そして、前記複数の焦点検出枠の内、特定の枠を移動指示する操作が可能なモードと不可能なモードを切換える焦点検出点選択モード変更手段を備え、前者のモードの時は、前述した様に、特定の枠の表示部と移動可能な枠の表示部を識別表示する。典型的には、第１の表示手段と第２の表示手段の両方により重ね合わせて表示された枠の表示部が、前記選択された特定の枠であり、何れかの表示手段による枠の表示部が、前記移動指示する操作で移動可能な移動先の枠である。（後述の第１実施例参照）
【００１１】
こうした構成によれば、特定の枠を移動指示する操作が不可能なモード時には、選択されている焦点検出枠のセグメントを鮮明に表示できるとともに、その他の選択が不可能な焦点検出枠は表示されない様にできる。そのため、被写体を観察する際の目障り感が少ないファインダ視野とできる。また、特定の焦点検出枠を選択するモードに応じた表示状態の切換えは、２つの表示手段による枠表示の組み合わせによりできるので、個々の表示手段内の表示セグメントごとに独立した制御ポートを設ける必要がなくなる。また更には、特定の焦点検出枠を選択するモードに応じてファインダ表示状態を異ならせられるため、焦点検出枠の選択モードが何れの状態になっているかを一目で判別可能となる。
【００１２】
また、例えば、第１の表示手段は、ＬＥＤなどの照明部材からの光を透過させて発光表示像をファインダ視野内で形成するための透過型液晶表示手段で構成できる。より具体的には、この発光表示像は、ファインダ光路内に配設された物体光を透過させ表示光を反射するミラー部材に投射されて、ファインダ視野内で形成することができる。そして、第２の表示手段は、結像光学系からの被写体光束を遮ってファインダ視野内で減光表示像を形成する減光状態と、結像光学系からの被写体光束を透過させる透過状態とを採り得る拡散型液晶表示手段で構成できる（後述の第１実施例参照）。こうした構成では、移動可能な枠の表示に関しては、透過型液晶表示手段の背面に配置した照明部材からファインダ光学系へ導かれる枠の状態を表示するための光束で行うことができる。その為、例えば、撮影に際し被写体の輝度を検出するためにピント板から測光センサへ導かれる被写体像の光束とは、異なる光路によって上記枠表示用光路を構成できる。よって、撮影前に行う被写体の輝度検出に対する枠表示の影響を少なくでき、輝度検出を常時行うことが可能となる。
【００１３】
また、例えば、ファインダ装置は、前記選択された特定の枠を移動指示する操作が不可能なモードを採り得、該モードの時に、前記特定の枠を第１の表示手段のみにより表示することができる。この場合、前記特定の枠を移動指示する操作が可能なモードの時に、前記特定の枠を第１及び第２の表示手段の両方により表示し、前記移動指示する操作で移動可能な移動先の枠を第１の表示手段のみにより表示する。そして、前記特定の枠を移動指示する操作が不可能なモードの時の第１の表示手段の照明部材の照明輝度に対して、前記特定の枠を移動指示する操作が可能なモードの時の第１の表示手段の照明部材の照明輝度を低く設定する（後述の第１実施例参照）。こうした構成によれば、特定の枠を選択する操作が可能なモード時には、選択されている枠は２つの表示手段の同時表示により鮮明に表示される。また、枠移動指示部材の操作により選択移動可能な移動先の枠が第１の表示手段のみにより通常の輝度よりも薄く表示される。これによって、選択されている枠と、選択移動可能な移動先の枠がどこにあるのかをファインダ上で区別できる為、例えば、被写体と移動させたい焦点検出枠との相対位置を考慮したフレーミングが可能となる。また、焦点検出枠の選択操作性が向上する。
【００１４】
また、例えば、ファインダ装置は、被写体像の中に人物の顔が存在することを検出するための顔検出手段を備え、顔検出手段により検出された顔の位置に対応する枠を前記特定の枠として選択可能な顔検出モードを採り得る（後述の第２実施例参照）。そして、顔検出モードであって、前記選択された特定の枠を移動指示する操作が可能なモードの時には、次の様にできる。顔検出手段で検出された顔の位置に対応する枠を、第１及び第２の表示手段の一方により表示し、前記移動指示する操作で移動可能な移動先の枠を他方の表示手段により表示し、前記選択された特定の枠を両方の表示手段により表示する。こうした構成によれば、例えば、任意に選択した焦点検出枠と、次に選択移動可能な移動先の焦点検出枠と、顔検出手段により検出された領域を識別できる。更に、顔検出手段により検出された顔の位置に対応する焦点検出枠を優先的に焦点検出するモードと、任意に選択した焦点検出枠を優先的に焦点検出するモードを切り替え可能とできる。よって、顔にピントを合わせたフレーミングや、人の顔をわざとぼかして任意に選択した焦点検出枠にピントを合わせたフレーミングを瞬時に切換えられる。
【００１５】
（第１実施例）
本発明のファインダ装置の第１実施例を含む一眼レフカメラを説明する。図１において、１はカメラ本体、２はカメラ本体に装着された結像光学系である撮影レンズである。ここでは、便宜上、撮影レンズ２が合焦レンズ３と変倍レンズ４の２枚のレンズで構成されている様に示したが、実際は更に多くのレンズから構成される。５は主ミラーであり、ファインダ観察時に撮影光路内に斜設されて撮影レンズ２からの光束の一部を反射してファインダ系に導き、撮影時に撮影光路外に退避する。６はサブミラーであり、ファインダ観察時に、主ミラー５を透過した光束をカメラ本体１の下方へ向けて反射する。
【００１６】
７はシャッター、８は撮影画像を記録するための感光部材であり、銀塩フイルム、ＣＣＤやＭＯＳ型等の固体撮像素子、若しくはビディコン等の撮像管により構成される。以下の説明では、撮像素子８が固体撮像素子であるとする。９は、撮影レンズ２の結像面近傍に配置されたフイールドレンズ９ａ、反射ミラー９ｂ、９ｃ、２次結像レンズ９ｅ、絞り９ｄ及び複数のＣＣＤからなるラインセンサ９ｆ等から成る位相差方式の焦点検出装置である。焦点検出装置９は、後述するファインダ視野内の４５個の焦点検出領域に対応して、被写界の各焦点検出領域において焦点調節状態の検出を行う。ここでは、焦点検出領域が、結像条件を設定するための領域である。１０は、撮影レンズ２の予定結像面に配置されたフォーカシングスクリーン（ピント板）である。１１はコンデンサレンズで、撮影レンズ２からの光束を有効に接眼レンズ１６に導く。１３は、スクリーン１０及びレンズ１１を通過した光束の光路を折り曲げて接眼系に導くペンタダハプリズムである。コンデンサレンズ１１とペンタダハプリズム１２との間には、ファインダ視野領域を規定する視野マスク１２が配置されている。
【００１７】
ペンタダハプリズム１３の射出面には、これから射出した光束の光路を変更するプリズム１４、１５が接着固定されている。プリズム１４の面１４ａ、１４ｂには、例えば可視光を透過して赤外光を反射するダイクロイック特性を持つコーティングが施され、これにより後述のスーパーインポーズ表示用の赤外光が撮影者の眼球１７に導かれる。プリズム１５の後方には接眼レンズ１６が配置され、スクリーン１０に結像した被写体像の光束が、この接眼レンズ１６を通って撮影者の眼球１７に達し、被写体像が観察される。
【００１８】
１８と１９は、夫々、ファインダ視野（撮影画面）内の被写体輝度を測定するための結像レンズと測光センサである。結像レンズ１８は、ペンタダハプリズム１３内の反射光路及びプリズム１４を介して、フォーカシングスクリーン１０と測光センサ１９とを共役な結像関係に置く。２０は、明るい被写体の中でも視認できる赤外光を発する高輝度ＬＥＤである。２１は集光レンズであり、ＬＥＤ２０と撮影者の眼球（瞳孔）１７とを共役な結像関係にしてＬＥＤ２０からの光を効率良く観察者の眼球１７へ入射させるコンデンサレンズの働きをする。２２は、第１の表示手段（ここでは第１の焦点検出枠表示手段）として４５個の焦点検出領域をファインダ視野内に形成するためのＴＮ液晶表示ユニット（以下、透過型ＬＣＤともいう）である。透過型ＬＣＤ２２は、電界効果型のツイステッドネマティックモード（Twisted Nematic mode）を利用し、これを複数のセグメント（表示部）によりパターン化して、選択されたセグメント領域のみを光透過可能とする。セグメントは透明電極等で構成される。ＬＥＤ２０からの光束は、集光レンズ２１及び透過型ＬＣＤ２２の透過セグメントを通過し、第１の投光レンズ２３、ミラー２４及び第２の投光レンズ２５を通過してプリズム１４に入射する。プリズム１４に入射した光は、ダイクロイック面１４ａで反射し、ダイクロイック面１４ｂに達する。ここでフォーカシングスクリーン１０に結像された被写体像と透過セグメントのパターンとが重なり、プリズム１５及び接眼レンズ１６を通して観察者の眼球１７に達して観察される。
【００１９】
３８は、フォーカシングスクリーン１０とコンデンサーレンズ１１の間に配置された第２の表示手段（ここでは第２の焦点検出枠表示手段）である。第２の焦点検出枠表示手段３８は、スクリーン１０に結像される被写体像に、後述する４５個の焦点検出領域を重ね合わせて表示する拡散型液晶表示ユニット（以下、拡散型ＬＣＤともいう）である。拡散型ＬＣＤ３８による表示は、拡散型液晶の表示セグメントにより被写体光を拡散するので、ファインダ接眼窓からファインダ画像を視認したときに表示セグメント部（透明電極等で構成される）が黒く表示される。２７は、ファインダ視野外に、絞り値やシャッター秒時等の撮影情報を表示するためのファインダ内ＬＣＤであり、透過型ＬＣＤ２２と同様にＴＮ液晶表示ユニットから構成される。このファインダ内ＬＣＤ２７は、照明用ＬＥＤ２６からの光で照明され、ＬＣＤ２７を透過した光が三角プリズム２８によりファインダ内に導かれる。これにより、撮影情報がファインダ視野外に表示され、撮影者は、設定されている撮影条件の情報を確認できる。
【００２０】
２９は、撮影レンズ２内に設けられた絞りであり、３０は、後述する絞り制御回路１０９を含む絞り駆動装置である。３１はレンズ駆動用モーターであり、３２は駆動ギヤ等からなるレンズ駆動機構である。３３はフォトカプラーであり、レンズ駆動機構３２に連動するパルス板３４の回転を検知して焦点調整回路１１０にレンズ駆動情報を伝える。焦点調整回路１１０は、このレンズ駆動情報と演算された合焦位置までのレンズ駆動量情報とに基づきレンズ駆動用モーター３１を駆動し、合焦レンズ３を合焦位置に移動させる。３５は、カメラ本体と撮影レンズ２との間の通信インターフェイスとなるマウント接点である。３６は、合焦レンズ３をマニュアル操作によって駆動するためのマニュアルフォーカスリングである。撮影者が自ら焦点（ピント）調節を行う際にこのリング３６を回動操作することで、合焦レンズ３を合焦位置に直接移動させられる。３７は、撮像素子８により得られた画像データを表示するためのＴＦＴ液晶からなるモニター用ＬＣＤである。
【００２１】
図２（ａ）は、上記一眼レフカメラに内蔵された電気回路の構成を示す。この図において、図１で説明した構成要素には同符号を付している。カメラ本体１には、マイクロコンピュータを構成する中央演算処理装置（以下、ＣＰＵともいう）１００が内蔵されている。ＣＰＵ１００には、デジタル回路１０１、測光回路１０２、自動焦点検出回路１０３、信号入力回路１０４、ＬＣＤ駆動回路１０５、ＬＥＤ駆動回路１０６、シャッター制御回路１０７、モーター制御回路１０８、絞り制御回路１０９及び焦点調整回路１１０が接続されている。ＣＰＵ１００に付随したＥＥＰＲＯＭ１００ａは、各種データを記憶する記憶機能を有する。デジタル回路１０１は撮像素子８を駆動し、撮像素子８からの撮像信号を読み出す撮像素子駆動回路１０１ａ、読み出した撮像信号を記憶するＲＡＭ１０１ｂ、ＲＡＭに記憶された撮像信号を所定の画像データに変換する信号処理回路１０１ｃ、画像データを記憶するフラッシュメモリ１０１ｄで構成される。測光回路１０２は、被写界の明るさに対応した測光センサ１９からの輝度信号出力を増幅後、対数圧縮、Ａ／Ｄ変換し、被写界輝度情報としてＣＰＵ１００に送る。
【００２２】
測光センサ１９は、例えば、各焦点検出領域を包含する様にファインダ視野を６３個に分割するよう設定された各測光領域に対応した６３個のフォトダイオードＳＰＣ１〜ＳＰＣ６３から構成される。本発明のファインダ装置では、この測光領域を、焦点検出領域と同様な要領で、結像条件を設定するための領域としてファインダ視野内に表示することもできる。自動焦点検出回路１０３は、４５個の焦点検出領域に対応した１９組のラインセンサＣＣＤ−１〜ＣＣＤ−１９で構成されるＣＣＤラインセンサユニット９ｆから得た電圧をＡ／Ｄ変換し、ＣＰＵ１００に送る。
【００２３】
ＳＷ１は、不図示のレリーズボタンの第１ストローク操作（半押し）でＯＮし、カメラの測光、焦点検出動作等を開始させるためのスイッチであり、また、ＳＷ１を一度ＯＮすることにより、一定時間測光センサがＯＮした状態となる。ＳＷ２は、レリーズボタンの第２ストローク操作（全押し）でＯＮし、レリーズ動作を開始させるためのスイッチである。電子ダイヤル２０４は、撮影に必要な各種情報（例えば、シャッタースピード、絞り値等）を選択するためのダイヤルスイッチである。サブ電子ダイヤル２０５も、各種撮影モードの設定に用いられるダイヤルスイッチであり、上記電子ダイヤルの動作を補うスイッチである。
【００２４】
図１（ｂ）に示すメインスイッチ２０６は、カメラを作動状態とするためのメインスイッチである。ＳＷ−ＡＦ／ＭＦは、焦点調節、すなわち撮影レンズ２のピント合わせを自動で行なうか手動（マニュアル）で行うかを選択するためのスイッチであり、本実施例では、撮影レンズ２に設けられている。図１（ｂ）に示す焦点検出点選択スイッチ２０３は、任意焦点検出点選択モードと自動焦点検出点選択モードとを切り換えるためのスイッチである。任意焦点検出点選択モードでは、カメラにおいてオートフォーカスの焦点検出領域として設定されている複数の焦点検出枠のうち、撮影者自身がマニュアルで特定の焦点検出枠を選択できる。自動焦点検出点選択モードでは、カメラ内の所定のアルゴリズムにて焦点検出動作を行う領域が自動で決定される。この自動焦点検出点選択モードでは、所定のアルゴリズムによって１つ又は１まとまりの焦点検出枠で表示される焦点検出領域が自動選択される。任意焦点検出点選択モードでも、１つ又は１まとまりの特定の焦点検出枠から成る焦点検出領域が任意に選択される。
【００２５】
焦点検出枠移動指示スイッチ２０２は、焦点検出点選択スイッチ２０３が任意焦点検出点選択モードであるときに、特定の焦点検出枠の移動方向を指示するためのスイッチである。ＳＷ−Ｔの押し操作で上方向、ＳＷ−Ｂの押し操作で下方向、ＳＷ−Ｌの押し操作で左方向、ＳＷ−Ｒの押し操作で右方向、ＳＷ−ＴＬの押し操作で左上方向、ＳＷ−ＴＲの押し操作で右上方向、ＳＷ−ＢＬの押し操作で左下方向、ＳＷ−ＢＲの押し操作で右下方向にそれぞれ焦点検出枠を移動できる。焦点検出枠の確定は所定タイマーの終了、又は、他のスイッチ操作にて行われる。本実施例では、移動指示スイッチ２０２として、専用のスイッチを設けたが、例えば、電子ダイヤル２０４やサブ電子ダイヤル２０５の操作に対して同様の機能を割り当てることは可能である。
【００２６】
焦点検出点選択モード変更スイッチ２０７は、測光や焦点検出動作が可能なカメラの状態時に、上記任意焦点検出点選択モードにて一度は確定された焦点検出枠を、更に選択移動する操作が可能なモードと不可能なモードとを切換えるスイッチである。この変更スイッチ２０７がオン状態であれば、測光や焦点検出動作が可能なカメラの状態時には、焦点検出枠の移動方向を指示する移動指示スイッチ２０２の操作（或いは電子ダイヤル２０４やサブ電子ダイヤル２０５の操作）が有効となる。
【００２７】
これら各スイッチからの信号は信号入力回路１０４に入力され、データーバスによってＣＰＵ１００に送信される。なお、電子ダイヤル２０４、サブ電子ダイヤル２０５からの各信号は、信号入力回路１０４内のアップダウンカウンターに入力される。そして、アップダウンカウンターにてこれらスイッチからの信号、すなわち電子ダイヤルの回転クリック量がカウントされ、カウント値がＣＰＵ１００に送信される。ＬＣＤ駆動回路１０５は、透過型ＬＣＤ２２、拡散型ＬＣＤ３８、ファインダ内ＬＣＤ２７、モニター用ＬＣＤ３７を表示駆動させるための回路であり、ＣＰＵ１００からの信号に従い各ＬＣＤの表示内容を制御する。ＬＥＤ駆動回路１０６は、スーパーインポーズ用ＬＥＤ２０及びファインダ内ＬＥＤ２６を点灯制御する。
【００２８】
シャッター制御回路１０７は、シャッターチャージ状態においてマグネットＭＧ−１に通電して先幕を走行させ、その後マグネットＭＧ−２に通電して後幕を走行させる。これにより、撮像素子８に所定光量を蓄積させる。モーター制御回路１０８は、主ミラー５のチャージを行なうモーターＭ１と、シャッター７のチャージを行なうモーターＭ２とを制御する。これらシャッター制御回路１０７及びモーター制御回路１０８によって、カメラにおける一連のレリーズシーケンスが動作する。
【００２９】
顔検出手段である顔認識回路２００は、測光センサ１９の被写界輝度情報から被写体の中に顔があるかどうかを検出する。顔検出モード切替スイッチ２０１は、顔認識回路２００により被写体の中に顔があることを検知した場合、検知された顔を優先して焦点検出領域とする顔検出モードに設定するかしないかを選択するスイッチである。絞り制御回路１０９及び焦点調整回路１１０は、撮影レンズ２内に配置され、マウント接点３５を介してＣＰＵ１００との間で信号の伝達を行う。
【００３０】
図２（ｂ）は、ファインダを覗いた場合に見えるファインダ視野内の構成を示している。この図では、透過型ＬＣＤ２２の複数のセグメント（表示部）が全点灯した状態を示している。不図示であるが、拡散型ＬＣＤ３８の拡散型液晶の表示セグメントでも、透過型ＬＣＤ２２と同様の表示が可能である。拡散型ＬＣＤ３８による表示は、少なくとも透過型ＬＣＤ２２で表示可能な枠形状を含み、更に透過型ＬＣＤ２２には無いセグメントの表示部を含んでいてもよい。例えば、電池残量や、ファインダ内のオートフォーカス検出可能範囲を示す刻線１００１や方眼形状を示す刻線を表示させてもよいし、上記以外の情報を表示してもよい。ただし、透過型ＬＣＤ２２で表示可能な枠に重なる位置に必ず表示セグメントが配置されている。また実際には、ファインダ視野の周辺部には、各種撮影に関する情報表示のためのファインダ内ＬＣＤ２７も備えているが、図２（ｂ）においては省略している。
【００３１】
図２（ｂ）において、外側の枠は視野マスク１２によって形成されるものである。１００１と１００２はいずれも、フォーカシングスクリーン１０の予定結像面であるマット面上に微細なプリズム形状を一体的に形成するか、前述の様に拡散型ＬＣＤ３８により表示させても良い刻線である。刻線１００２は、最小の測光可能範囲を示したものである。本実施例では、a１〜e９は、透過型ＬＣＤ２２によりスーパーインポーズ表示される４９組の表示指標であり、４５個の焦点検出領域に対応して配置されている。前述した様に、拡散型ＬＣＤ３８でも同様の焦点検出枠表示が可能である。
【００３２】
本実施例では、透過型ＬＣＤ２２の背面には高輝度赤外光ＬＥＤ２０が配置される。更に、透過型ＬＣＤ２２の液晶表示板の表面には、前述した焦点検出枠を示す四角形のセグメント以外の部分を遮光するために、例えばレジスト方式の印刷や蒸着などによって不図示のマスキング処理を行う。この構成によって、透過型ＬＣＤ２２の透明電極に印加される電圧が高くなれば、各セグメント部は透過率が高くなり、ＬＥＤ２０からの光束はより多くファインダ光学系へ導かれ、焦点検出枠を示す四角形枠は濃く表示される。逆に、印加される電圧が低くなれば各セグメント部は透過率が低くなり、ファインダ光学系へ導かれる光束は少なくなるので、焦点検出枠を示す四角形枠は薄く表示される。また、拡散型ＬＣＤ３８と透過型ＬＣＤ２２により、同じ焦点検出枠を示す四角形のセグメントを同時に表示させた場合、撮影レンズ２からの光束は拡散型ＬＣＤ３８の表示セグメントにより拡散される。よって、透過型ＬＣＤ２２による表示と拡散型ＬＣＤ３８による表示の重なった部分は、透過型ＬＣＤ２２のみで表示されている部分よりも濃く見える。つまり、（透過型ＬＣＤ２２と拡散型ＬＣＤ３８で同時に表示した焦点検出枠）＞（透過型ＬＣＤ２２のみにより表示した焦点検出枠）＞（拡散型ＬＣＤ３８のみにより表示した焦点検出枠）の順に、３種類の表示濃度を表現できる。
【００３３】
以下、カメラの動作について、以上の様に構成されたカメラ全体（主としてＣＰＵ１００）の図３の動作フローチャートと、図１、図２、図４、図５とを併せ用いて説明する。まず、撮影者がメインスイッチ２０６をＯＮになる位置に回転させると、カメラ電源がＯＮし（Ｓ１０００）、ＣＰＵ１００はＳＷ１がＯＮされるまで待機する（Ｓ１００１）。次に、ＣＰＵ１００は、焦点検出点選択スイッチ２０３が自動焦点検出点選択モードか任意焦点検出点選択モードかを確認し（Ｓ１００２）、前者のときは、所定のアルゴリズムによって所定の焦点検出領域を選択する（Ｓ１００３）。なお、図３及び後述のフローチャート図では、必ずしも測距するわけではないが、従来の表現を踏襲して、「焦点検出」を短く「測距」と記している。ここでの、焦点検出領域の自動選択のアルゴリズムとしては幾つかの方法が考えられる。いわゆる多点ＡＦカメラにおいて採用されることが多い中央の焦点検出領域に重み付けを置いた近点優先アルゴリズムが有効である。この段階では（Ｓ１００３）、ファインダ視野内の何処の焦点検出枠において合焦するかは特定できないため、この自動焦点検出点選択モードでは、図４（Ａ）に示した様に焦点検出枠は何れも点灯されない状態である。その後、ここで選択された焦点検出領域での焦点検出動作を自動焦点検出回路１０３に行わせる（Ｓ１００９）。
【００３４】
一方、Ｓ１００２において、撮影者がマニュアルで特定の焦点検出枠を選択できる任意焦点検出点選択モード時である場合には、焦点検出点選択モード変更スイッチ２０７の状態を判別する（Ｓ１００４）。本実施例では、物理的なスイッチの状態の判別として説明したが、例えばＣＰＵ１００に付随したＥＥＰＲＯＭ１００ａに記憶されるパラメータ値にて変更するものであってもよい。変更スイッチ２０７がＯＦＦ状態（ダイレクト選択ＯＦＦ状態））の場合、変更スイッチ２０７を押して焦点検出枠移動指示（Ｓ１００５）があるまでは、図４（Ｃ）に示す様に現在選択中の焦点検出領域の枠がファインダ視野内に重複表示される。ここで、ダイレクト選択ＯＦＦ状態とは、変更スイッチ２０７を押さなくても、カメラの測光や焦点検出動作が可能な状態時にマルチコントローラー釦、電子ダイヤル等の操作に連動して焦点検出枠の移動を行えるダイレクト選択がＯＦＦである状態である。この場合、焦点検出枠ａ９が任意焦点検出枠の点灯セグメントとして透過型ＬＣＤ２２により表示される。その時、その他の４８点の焦点検出枠ａ１〜ａ８、ｂ１〜ｅ９は、非点灯セグメントの状態にあって視認できなくなる（Ｓ１００７）。
【００３５】
変更スイッチ２０７を押して焦点検出枠移動指示（Ｓ１００５）があった場合、図５（Ａ）に示した様に、現在選択されている焦点検出領域に対応する表示指標が透過型ＬＣＤ２２と拡散型ＬＣＤ３８の同時表示によりスーパーインポーズ表示される。そして、焦点検出枠移動指示スイッチによる１回の操作で移動可能な焦点検出枠が透過型ＬＣＤ２２のみによりファインダ視野内にスーパーインポーズ表示される（Ｓ１００６）。ここでのファインダ視野内の透過型ＬＣＤ２２の駆動電圧は、焦点検出枠移動指示（Ｓ１００５）が無い状態の透過型ＬＣＤ２２の駆動電圧（以後、この状態の駆動電圧を駆動電圧Ａとする）よりも低くなる様に変更される。つまり、移動指示（Ｓ１００５）が無い状態の透過型ＬＣＤ２２のみによる焦点検出枠表示輝度と、移動指示（Ｓ１００５）があった時の透過型ＬＣＤ２２と拡散型ＬＣＤ３８の同時表示による枠表示が同じ表示輝度で見えるような駆動電圧に変更する。以後、この状態の駆動電圧を駆動電圧Ｂとする。これにより、駆動電圧Ｂによる透過型ＬＣＤ２２のみの表示部は薄く表示され、駆動電圧Ｂによる透過型ＬＣＤ２２と拡散型ＬＣＤ３８の同時表示による焦点検出枠は、駆動電圧Ａによる透過型ＬＣＤ２２のみの表示である自動選択時と同等の輝度による表示となる。こうして、見かけ上、２種類の表示濃度による表示が同一ファインダ内に混在することとなる。この際、１回の操作で移動可能な焦点検出枠が拡散型ＬＣＤ３８のみによりファインダ視野内にスーパーインポーズ表示されてもよい。
【００３６】
図５（Ａ）は特定の焦点検出枠として焦点検出枠ｂ９が選択されている状態を示す。焦点検出枠ａ８、ａ９、ｂ８、ｂ９、ｂ１０、ｃ９、ｃ１０のうち、ｂ９のみ透過型ＬＣＤ２２と拡散型ＬＣＤ３８の同時表示によるスーパーインポーズ表示部である。ａ８、ａ９、ｂ８、ｂ１０、ｃ９、ｃ１０は透過型ＬＣＤ２２のみによるスーパーインポーズ表示部である。特定の焦点検出枠として選択されている枠ｂ９だけが、鮮明に表示されている。移動指示スイッチ２０２による１回の操作で移動可能な焦点検出枠として割り当てられている枠ａ８、ａ９、ｂ８、ｂ１０、ｃ９、ｃ１０は薄い輝度の状態（駆動電圧Ｂによる表示輝度）でファインダ内に表示されている。本実施例では移動指示スイッチ２０２による１回の操作で移動可能な焦点検出枠のみを表示させることで、撮影画面に多くの焦点検出枠が表示されることによる表示の煩わしさを軽減させている。しかし、マニュアルで選択可能な枠（図２（ｂ）のｂ９以外の枠）を全て透過型ＬＣＤ２２により表示させることも可能である。また、撮影モードにより、選択可能な焦点検出枠の数を限定する等の表示を行ってもよい。
【００３７】
図５（Ｂ）は、図５（Ａ）の状態から移動指示スイッチ２０２のＳＷ−ＴＲを１回押した場合の表示状態を示す。特定の焦点検出枠として選択される枠は移動指示スイッチ２０２のＳＷ−ＴＲの操作によりｂ９からａ９へ移動する。そのため、ｂ９の焦点検出枠表示はＬＣＤ２２、３８の同時表示から透過型ＬＣＤ２２のみの点灯表示に変更し、ａ９の焦点検出枠を透過型ＬＣＤ２２と拡散型ＬＣＤ３８の同時表示に変更する。更に、焦点検出枠ｂ８、ｃ９、ｃ１０はａ９から移動指示スイッチ２０２による１回の操作で移動不可能な枠なので非表示とする。これにより、枠ａ８、ａ９、ｂ９、ｂ１０のうち、特定の焦点検出枠として選択されていることを表す枠ａ９だけが、透過型ＬＣＤ２２と拡散型ＬＣＤ３８の両方の駆動により鮮明に表示される。移動指示スイッチ２０２による１回の操作で移動可能な焦点検出枠として割り当てられている枠ａ８、ｂ９、ｂ１０は、透過型ＬＣＤ２２のみの駆動により薄い輝度状態でファインダ内に表示される。
【００３８】
図５（Ｄ）は、透過型ＬＣＤ２２と拡散型ＬＣＤ３８により表示されている焦点検出枠部を拡大して示す。２０８は透過型ＬＣＤ２２のみによる枠の表示部で、２０９は透過型ＬＣＤ２２と拡散型ＬＣＤ３８の両方による枠の表示部である。このとき、拡散型ＬＣＤ３８による枠の表示部を透過型ＬＣＤ２２による枠の表示部よりも小さくすることで、カメラ組立て時の位置ずれや、使用時のやぶにらみ等により、両方のＬＣＤによる枠の表示部の重なりが欠けてしまうことを防止できる。また、図５（Ｅ）の様に、透過型ＬＣＤ２２による枠の表示部２１０と、両方のＬＣＤによる枠の表示部２１１の表示形状を異形状にし、更に拡散型ＬＣＤ３８による枠の表示部を透過型ＬＣＤ２２による枠の表示部よりも小さくできる。このことで、上記と同様に、枠の表示部の重なりが欠けるのを防止できる。
【００３９】
透過型ＬＣＤ２２の駆動電圧Ｂは焦点検出枠移動指示（Ｓ１００５）が終わるまで維持される。指示が終わると透過型ＬＣＤ２２の駆動電圧は、前述した電圧Ａに変更され、ファインダ視野内の表示は前述したＳ１００７の表示形態に戻る。そして、その表示形態を維持したまま、選択された焦点検出領域での焦点検出動作を自動焦点検出回路１０３に行わせる（Ｓ１００９）。
【００４０】
Ｓ１００４にて、焦点検出点選択モード変更スイッチ２０７がＯＮ状態（ダイレクト選択ＯＮ状態）である場合は、上述したＳ１００６と同じ表示形態となり（Ｓ１００８）、選択された領域での焦点検出動作を検出回路１０３に行わせる（Ｓ１００９）。また、Ｓ１００４にて変更スイッチ２０７がＯＮ状態で更にＳＷ１がオンされてから一定時間内（測光センサ１９がＯＮ状態）の間のみＳ１００５の焦点検出枠移動指示の割り込み操作を行うことが可能である。
【００４１】
自動焦点検出回路１０３による焦点検出動作が行われると、ＣＰＵ１００は選択された焦点検出領域が焦点検出不能な領域か否かを判定する（Ｓ１０１０）。不能であれば、ＣＰＵ１００はＬＣＤ駆動回路１０５に信号を送ってファインダ内ＬＣＤ２７の合焦マーク（不図示）を点滅表示させ、焦点検出が不能であることを撮影者に警告する（Ｓ１０１１）。ＳＷ１がＯＦＦされるまで、この動作を続ける（Ｓ１０１２）。また、選択された領域が焦点検出可能な領域であり、この領域での焦点調節状態が合焦でなければ（Ｓ１０１３）、ＣＰＵ１００は焦点調整回路１１０に信号を送って合焦レンズ３を合焦駆動させる（Ｓ１０１４）。レンズ駆動後、自動焦点検出回路１０３は再度、焦点検出を行い（Ｓ１００９）、焦点検出領域において合焦しているか否かの判定を行う（Ｓ１０１３）。そして、焦点検出領域の合焦が得られると、ＣＰＵ１００はＬＣＤ駆動回路１０５に信号を送ってファインダ内ＬＣＤ２７の合焦マーク（不図示）を点灯させる。また、自動焦点検出点選択モードのときは、図４（Ｂ）に示した様に、自動選択された焦点検出領域に対応する枠（例えばａ９）を一瞬高輝度に点灯し、撮影者に合焦であることを知らせる（Ｓ１０１５）。なお、合焦の表示形態はこうした態様に限るものではなく、自由に設定可能である。
【００４２】
任意焦点検出点選択モードで、かつ変更スイッチ２０７がＯＮの時は、図５（Ｃ）に示した様に、拡散型ＬＣＤ３８の任意焦点検出枠として表示されていた枠ａ９が一瞬点滅し、撮影者に合焦であることを知らせる（Ｓ１０１５）。このとき、前述したＳ１００６の焦点検出枠移動指示を割り込み操作として可能としているので、移動指示スイッチ２０２による１回の操作で移動可能な焦点検出枠として割り当てられている枠ａ８、ｂ９、ｂ１０の３点は、薄く枠が表示された状態となる。また、任意焦点検出点選択モードで、かつ変更スイッチ２０７がＯＦＦの時は、図４（Ｂ）と同様な表示を行う。
【００４３】
次に、合焦状態がファインダ視野内に表示されたのを撮影者が見て、その焦点検出領域が正しくないと認識してＳＷ１をＯＦＦすると（Ｓ１０１６）、引き続きＣＰＵ１００はＳＷ１がＯＮされるまで待機する（Ｓ１００１）。また、撮影者が合焦表示された焦点検出領域を見て、引き続きＳＷ１をＯＮし続けたときは（Ｓ１０１６）、ＣＰＵ１００は測光回路１０２に信号を送信して測光値を決定する（Ｓ１０１７）。このとき、本実施例では、合焦した焦点検出領域を含む測光領域（不図示）に重み付けした測光演算を行い、露出値が演算される。そして、この演算結果として、ファインダ内ＬＣＤ２７の絞り値（不図示）を表示する。
【００４４】
次に、ＣＰＵ１００は、ＳＷ２がＯＮされているかどうかを判定し（Ｓ１０１８）、ＳＷ２がＯＦＦであれば再びＳＷ１の状態確認を行う（Ｓ１０１６）。ＳＷ２がＯＮされているときは、ＣＰＵ１００はシャッター制御回路１０７、モーター制御回路１０８及び絞り駆動回路１０９にそれぞれ信号を送信する。つまり、まず、モーターＭ２に通電し、主ミラー５をアップさせ、絞り２９を絞り込んだ後、マグネットＭＧ１に通電してシャッタ７の先幕を走行させる。絞り値及びシャッタ速度（シャッタ秒時）は、先に演算された露出値と設定された撮像素子８の感度とに基づいて決定される。そして、決定されたシャッタ秒時が経過した後、マグネットＭＧ２に通電し、シャッタ７の後幕を走行させ、露光を終了する（Ｓ１０１９）。その後、ＣＰＵ１００は再びＳＷ１がＯＮされるまで待機する（Ｓ１００１）。
【００４５】
以上の構成により、例えば図２（ｂ）のａ９の焦点検出枠を選択中、更に右や上にも選択可能な焦点検出枠があるのかないのかを認識できる。そのため、ａ９の焦点検出枠を選択中に更に右や上に焦点検出枠があると誤認してしまうことを防止でき、被写体と移動させたい焦点検出枠との相対位置を考慮したフレーミングが可能となる。また、焦点検出枠の選択操作性が向上する。
【００４６】
（第２実施例）
第２実施例を説明する。第２実施例は、第１実施例に顔検出モードが加わった構成を有する。図７と図６のフローチャートを用いて説明する。図６のフローチャートでは、図３のフローチャートにおいて顔検出モードか通常モードかを選択するステップが追加されていて、顔検出モードがＯＮになっている状態の動作のみが異なっており、それ以外の所は図３と同じである。
【００４７】
まず、撮影者がメインスイッチ２０６をＯＮになる位置に回転させると、カメラ電源がＯＮし（Ｓ２０００）、ＣＰＵ１００はＳＷ１がＯＮされるまで待機する（Ｓ２００１）。次に、ＣＰＵ１００は、焦点検出点選択スイッチ２０３が自動焦点検出点選択モードか任意焦点検出点選択モードかを確認し（Ｓ２００２）、前者のときは、顔検出モード切替スイッチ２０１の状態が有効か無効かを判別する（Ｓ２００３）。切替スイッチ２０１の状態が有効である場合には、顔認識回路２００により、測光センサ１９の被写界輝度情報から被写体の中に顔があるかどうかを検出する（Ｓ２００４）。そして、被写体の中に顔があることを検知した場合、検知された顔に対応する焦点検出枠を優先して焦点検出領域とし、被写体の中に顔が無い場合は所定のアルゴリズムによって焦点検出領域を選択する（Ｓ２００５）。この段階（Ｓ２００５）では、ファインダ視野内の何処の焦点検出枠において合焦するかは特定できないため、この自動焦点検出点選択モードでは、図４（Ａ）に示した様に焦点検出枠は全て点灯されない状態である。その後、ここで選択された焦点検出領域での焦点検出動作を自動焦点検出回路１０３に行わせる（Ｓ２０１７）。顔検出モード切替スイッチ２０１の状態が無効である場合には、第１実施例のＳ１００３と同じ処理を行う（Ｓ２００５）。
【００４８】
一方、Ｓ２００２において、撮影者がマニュアル（手動）で特定の焦点検出枠の選択を行うことが可能な任意焦点検出点選択モード時である場合には、焦点検出点選択モード変更スイッチ２０７の状態を判別する（Ｓ２００６）。スイッチ２０７がＯＦＦ状態である場合、顔検出モード切替スイッチ２０１の状態が有効か無効かを判別する（Ｓ２００７）。切替スイッチ２０１の状態が無効である場合には、第１実施例の図３で説明したＳ１００５〜Ｓ１００７と同様の処理を行う（Ｓ２００８〜Ｓ２０１０）。その後、ここで選択された焦点検出領域での焦点検出動作を自動焦点検出回路１０３に行わせる（Ｓ２０１７）。
【００４９】
顔検出モード切替スイッチ２０１の状態が有効である場合には、変更スイッチ２０７が押されて焦点検出枠移動指示（Ｓ２０１１）があるまで、図７（Ａ）に示した様に、現在選択されている焦点検出領域に対応する枠に加え、次の枠を表示する。すなわち、顔認識回路２００により、測光センサ１９の被写界輝度情報から被写体の中に顔があるかどうかを検出し、被写体の中に顔があるのを検知した場合、顔検出領域に相当する焦点検出枠を拡散型ＬＣＤ３８により表示する。この場合、本実施例では、枠ａ９が任意焦点検出枠の点灯セグメントとして透過型ＬＣＤ２２によりファインダ視野内にスーパーインポーズ表示され、顔検出領域に相当する焦点検出枠としてａ１、ａ２、ｂ１、ｂ２、ｂ３が拡散型ＬＣＤ３８のみにより表示される。その時、その他の焦点検出枠ａ３〜ａ８、ｂ４〜ｅ９の４３点は、非点灯セグメントの状態として視認できなくなる（Ｓ２０１３）。その後、ここで選択された焦点検出領域での焦点検出動作を自動焦点検出回路１０３に行わせる（Ｓ２０１７）。
【００５０】
変更スイッチ２０７が押されて焦点検出枠移動指示（Ｓ２０１１）があった場合、図７（Ｃ）に示した様に、現在選択されている焦点検出領域に対応する枠が透過型ＬＣＤ２２と拡散型ＬＣＤ３８の同時表示によりスーパーインポーズ表示される。また、焦点検出枠移動指示スイッチ２０２による１回の操作で移動可能な枠が透過型ＬＣＤ２２のみによりファインダ視野内にスーパーインポーズ表示される。更に、顔認識回路２００により、測光センサ１９の被写界輝度情報から被写体の中に顔があることを検知した場合、顔検出領域に相当する焦点検出枠を拡散型ＬＣＤ３８のみにより表示する（Ｓ２０１２）。その後、ここで選択された焦点検出領域での焦点検出動作を自動焦点検出回路１０３に行わせる（Ｓ２０１７）。
【００５１】
Ｓ２００６にて、焦点検出点選択モード変更スイッチ２０７がＯＮ状態である場合、顔検出モード切替スイッチ２０１の状態が有効か無効かを判別する（Ｓ２０１４）。切替スイッチ２０１の状態が無効である場合には、上述したＳ２００９（Ｓ１００６）と同じ表示形態の図５（Ａ）となり（Ｓ２０１５）、選択された焦点検出領域での焦点検出動作を自動焦点検出回路１０３に行わせる（Ｓ２０１７）。また、Ｓ２００６にて変更スイッチ２０７がＯＮ状態であり、Ｓ２０１４にて切替スイッチ２０１の状態が無効状態で、更にＳＷ１がオンされてから一定時間内（測光センサ１９がＯＮ状態）の間のみ、Ｓ２００８の枠移動指示の割り込み操作ができる。
【００５２】
Ｓ２０１４で顔検出モード切替スイッチ２０１の状態が有効である場合には、上述したＳ２０１２と同じ表示形態の図７（Ｃ）となり（Ｓ２０１６）、選択された焦点検出領域での焦点検出動作を自動焦点検出回路１０３に行わせる（Ｓ２０１７）。また、Ｓ２００６にて変更スイッチ２０７がＯＮ状態であり、Ｓ２０１４にて切替スイッチ２０１の状態が有効状態で、更にＳＷ１がオンされてから一定時間内（測光センサ１９がＯＮ状態）の間のみ、Ｓ２０１１の焦点検出枠移動指示の割り込み操作ができる。
【００５３】
焦点検出（Ｓ２０１７）よりも前のステップにおいて、顔検出モード切替スイッチ２０１の有効、無効の切換操作はどのタイミングでも可能である。そして、焦点検出領域選択モードと焦点検出点選択モードの状態に対応したＳ２００３、Ｓ２００７、Ｓ２０１４の切替スイッチ２０１の状態確認ステップは、割り込み可能である。
【００５４】
Ｓ２０１８からＳ２０２３までは、第１実施例の図３のＳ１０１０からＳ１０１５と基本的に同じである。ただし、ここでは、Ｓ２０２３は以下の様になる。任意焦点検出点選択モードで、かつ焦点検出点選択モード変更スイッチ２０７がＯＦＦの時は、図４（Ｄ）に示した様に、任意選択された焦点検出領域に対応する枠（例えばａ９）を、一瞬高輝度に点灯し、撮影者に合焦であることを知らせる（Ｓ２０２３）。任意焦点検出点選択モードで、かつ変更スイッチ２０７がＯＮの時は、図５（Ｃ）に示した様に、拡散型ＬＣＤ３８の任意焦点検出枠として表示されていた枠ａ９が一瞬点滅し、撮影者に合焦であることを知らせる（第１実施例の図３のＳ１０１５）。このとき、第１実施例の図３のＳ１００６の焦点検出枠移動指示を割り込み操作として可能としているので、移動指示スイッチ２０２による１回の操作で移動可能な焦点検出枠として割り当てられている枠ａ８、ｂ９、ｂ１０は、薄く表示された状態となる。また、任意焦点検出点選択モードで、かつ変更スイッチ２０７がＯＦＦ、更に顔検出モード切替スイッチ２０１の状態が有効の時は、図７（Ｂ）に示した様になる。すなわち、顔を検出した位置に拡散型ＬＣＤ３８のみで表示を行っていた焦点検出枠ａ１、ａ２、ｂ１〜ｂ３の位置を、ａ９と同じ輝度（駆動電圧Ａ）で透過型ＬＣＤ２２によって一瞬点灯することで撮影者に合焦であることを知らせる（Ｓ２０２３）。また、任意焦点検出点選択モードで、かつ変更スイッチ２０７がＯＮ、更に顔検出モード切替スイッチ２０１の状態が有効の時は、図７（Ｄ）に示した様になる。すなわち、顔検出位置に拡散型ＬＣＤ３８のみで表示を行っていた焦点検出枠ａ１、ａ２、ｂ１〜ｂ３の位置を、ａ９と同じ輝度（駆動電圧Ｂ）で透過型ＬＣＤ２２によって一瞬点灯することで撮影者に合焦であることを知らせる（Ｓ２０２３）。Ｓ２０２３以降の動作については、第１実施例の図３にて説明した内容と同様である。
【００５５】
以上の構成により、人物にピントを合わせる構図と、人物がいても他の物にピントを合わせて人物を意図的にぼかすといった構図の切換が、ファインダを覗いた状態で、顔検出モード切換スイッチ２０１を押す度にスピーディーに行うことができる。こうして、焦点検出枠の選択操作性が向上する。
【符号の説明】
【００５６】
２  撮影レンズ（結像光学系）
１０  フォーカシングスクリーン（予定結像面）
２０  ＬＥＤ（表示手段）
２２  透過型ＬＣＤ（表示手段）
３８  拡散型ＬＣＤ（表示手段）
２００  顔認識回路（顔検出手段）
２０８、２１０  透過型ＬＣＤによる焦点検出枠の表示部
２０９、２１１  拡散型ＬＣＤによる焦点検出枠の表示部
ａ１〜ｅ９  焦点検出枠（枠）
【図１】
0005548403.tif 000002
【図２】
0005548403.tif 000003
【図３】
0005548403.tif 000004
【図４】
0005548403.tif 000005
【図５】
0005548403.tif 000006
【図６】
0005548403.tif 000007
【図７】
0005548403.tif 000008